(57)【要約】      （修正有）【課題】回転するローラを備えて給紙カセットに収容された記録用紙を搬送路に沿って搬送するための給紙装置であって、給紙カセットを給紙装置が設けられた機器本体から取り出すときに、ローラから記録用紙に対する圧が解除された状態となるものを提供する。【解決手段】給紙カセットに収容された紙が搬送される搬送路の始点又はその近傍に設けられた回転ローラ２３、２５と、この回転ローラに紙を介して圧接可能な圧接体２２、２６と、回転ローラを回転駆動するモータとを備える。モータの駆動が停止したときに、圧接している回転ローラと圧接体とを離反させる。また、モータが駆動されたときに、離反している回転ローラと圧接体を圧接させる。【選択図】図７
2011230895.tif 000002
【特許請求の範囲】
【請求項１】
紙を収容する給紙カセットと、
前記給紙カセットに収容された紙が搬送される搬送路と、
前記搬送路の始点又はその近傍に設けられた回転ローラと、
前記回転ローラを回転駆動するモータと、
前記回転ローラに紙を介して圧接可能な圧接体と、
前記モータの駆動が停止したときに、圧接している前記回転ローラと前記圧接体とを離反させるように構成された移動機構とを、備えた給紙装置。
【請求項２】
前記移動機構は、前記モータが駆動されたときに、離反している前記回転ローラと前記圧接体を圧接させるように構成されている、請求項１に記載の給紙装置。
【請求項３】
前記移動機構は、
前記圧接体を支持する第１のホルダと、
前記モータが駆動されると前記第１のホルダの前記圧接体が支持された部分を前記回転ローラに対して近接させ、且つ、前記モータの駆動が停止すると前記第１のホルダの前記圧接体が支持された部分を前記回転ローラから離反させるように、前記第１のホルダを移動させる第１のアクチュエータとを備えている、請求項２に記載の給紙装置。
【請求項４】
前記第１のアクチュエータは、前記第１のホルダに作用して該第１のホルダを移動させる第１のアームと、この第１のアームに作用する第１のカムと、この第１のカムに前記モータからの動力を伝達する第１の動力伝達部とを備えている、請求項３に記載の給紙装置。
【請求項５】
前記第１の動力伝達部は、内歯と前記モータの出力軸に嵌められた歯車と直接的又は間接的に噛合する外歯を有する環状歯車と、この環状歯車の内歯と噛合する前記第１のカムに設けられた歯車とを含む、請求項４に記載の給紙装置。
【請求項６】
前記圧接体は、前記搬送路の始点の近傍に設けられて、前記給紙カセットから一度に複数の紙が供給されたときに、複数の紙から一枚の紙を分離するための分離ローラである、請求項１〜請求項５のいずれか一項に記載の給紙装置。
【請求項７】
前記回転ローラは、前記搬送路の始点の近傍に設けられて、前記給紙カセットから繰り出された紙を前記搬送路へ沿って送るフィードローラである、請求項１〜請求項６のいずれか一項に記載の給紙装置。
【請求項８】
前記移動機構は、
前記回転ローラを支持する第２のホルダと、
前記モータが駆動されると前記第２のホルダの前記回転ローラが支持された部分を前記圧接体に対して近接させ、且つ、前記モータの駆動が停止すると前記第２のホルダの前記回転ローラが支持された部分を前記圧接体から離反させるように、前記第２のホルダを移動させる第２のアクチュエータとを備えている、請求項２に記載の給紙装置。
【請求項９】
前記第２のアクチュエータは、前記第２のホルダに作用して該第２のホルダを移動させる第２のアームと、この第２のアームに作用する第２のカムと、この第２のカムに前記モータからの動力を伝達する第２の動力伝達部とを備えている、請求項８に記載の給紙装置。
【請求項１０】
前記第２の動力伝達部は、内歯と前記モータの出力軸に嵌められた歯車と直接的又は間接的に噛合する外歯を有する環状歯車と、この環状歯車の内歯と噛合する前記第２のカムに設けられた歯車とを含む、請求項９に記載の給紙装置。
【請求項１１】
前記回転ローラは、前記搬送路の始点に設けられて、前記給紙カセットから前記搬送路へ紙を繰り出すためのピックアップローラであり、前記圧接体はピックアップローラに対向して配置された前記給紙カセットのガイドである、請求項１、２又は請求項８〜１０のいずれか一項に記載の給紙装置。
【請求項１２】
請求項１〜１１のいずれか一項に記載された給紙装置と、
この給紙装置より供給された紙に向けてインクを吐出する一又は複数の記録ヘッドとを備えた、記録機器。
【発明の詳細な説明】
【技術分野】
【０００１】
本発明は、ファクシミリ、コピー機、印刷機などの記録機器に備えられる給紙装置に関する。さらに詳細には、記録用紙を収容する給紙カセットを着脱可能に備えた給紙装置において、機器本体から給紙カセットを取り出すときに紙詰まりを発生させないための構造に関する。
【背景技術】
【０００２】
従来、ファクシミリ、コピー機、印刷機などの一般的な記録機器は、記録用紙に画像を形成して記録を行う記録装置と、この記録装置へ給紙カセットから記録用紙を一枚ずつ搬入する給紙装置と、記録装置から記録用紙を搬出する排紙装置とを含んで構成されている。このような給紙装置として、記録用紙を収容する給紙カセットと、給紙カセットから記録装置まで記録用紙を搬送する給紙用の搬送路と、ピックアップローラと、ピックアップローラよりも搬送路の下流側に設けられたフィードローラと、フィードローラと対をなす分離ローラとを備えたものが知られている。ピックアップローラは給紙カセットに重ねて収容された複数枚の記録用紙のうち最も上にあるものに圧接する。分離ローラはフィードローラに圧接する。また、フィードローラは記録用紙を搬送路に沿って給紙方向へ送るように回転し、分離ローラは記録用紙を給紙方向とは逆方向へ送るように回転する。かかる構成の給送装置において、ピックアップローラの回転により給紙カセットに収容された記録用紙が搬送路へ繰り出され、フィードローラと分離ローラの回転により分離された一枚の記録用紙が搬送路に沿って給紙方向へ送られる。
【０００３】
上記のような給紙装置において、給紙カセットは機器本体に対して着脱可能に設けられていることが多い。このような給紙カセットに記録用紙を補給するときには、機器本体に差し込まれている給紙カセットを取り出して記録用紙を補給し、再び給紙カセットを機器本体に差し込む。一般的な給紙装置では、給紙カセットが機器本体から取り出されるときに移動する方向と給紙カセットからピックアップローラにより記録用紙が繰り出される方向とが直交していることが多い。したがって、給紙カセットを機器本体から取り出すときに記録用紙がピックアップローラ、フィードローラまたは分離ローラより圧を受けていると、ローラから圧を受けている記録用紙の一部分が給紙カセットの動きに追従できずに破れたり、記録用紙が機器本体に残って不具合の原因となったりする。そこで、特許文献１や特許文献２に示されているように、給紙カセットを機器本体から取り出すときに記録用紙からピックアップローラや分離ローラが離れるように構成されたものがある。
【０００４】
特許文献１では、ソレノイドへの電流供給のオフを引き金として、分離ローラがフィードローラから離れるように構成された給紙装置が示されている。この給紙装置は、分離ローラ（セパレートローラ）を移動させる加圧解除ソレノイドを備えており、機器の動作時に加圧解除ソレノイドの電流供給をオンとして分離ローラをフィードローラに圧接する一方、機器の動作停止時に加圧解除ソレノイドの電流供給をオフとして分離ローラをフィードローラから離すように制御されている。
【先行技術文献】
【特許文献】
【０００５】
【特許文献１】特開平６−１８３６００号公報
【発明の概要】
【発明が解決しようとする課題】
【０００６】
上記特許文献１に示されているように、ソレノイドへの電流供給のオフを引き金としてフィードローラから分離ローラが離れれば、給紙カセットを機器本体から取り出すときに記録用紙はこれらのローラから圧を受けていない。しかし、ソレノイドは比較的高価な部品であり、また、ソレノイドの制御が必要となる。
【０００７】
本発明は上記のような課題を解決するためになされたものであって、回転するローラを備えて給紙カセットに収容された記録用紙を搬送路に沿って搬送するための給紙装置であって、ソレノイドを用いずに、給紙カセットを給紙装置が設けられた機器本体から取り出すときに、ローラから記録用紙に対する圧が解除された状態となるものを提供することを目的とする。
【課題を解決するための手段】
【０００８】
本発明に係る給紙装置は、紙を収容する給紙カセットと、前記給紙カセットに収容された紙が搬送される搬送路と、前記搬送路の始点又はその近傍に設けられた回転ローラと、前記回転ローラを回転駆動するモータと、前記回転ローラに紙を介して圧接可能な圧接体と、前記モータの駆動が停止したときに、圧接している前記回転ローラと前記圧接体とを離反させるように構成された移動機構とを、備えたものである。また、本発明に係る記録機器は、上記給紙装置と、この給紙装置より供給された紙に向けてインクを吐出する一又は複数の記録ヘッドとを、備えたものである。
【０００９】
上記構成の給紙装置では、記録用紙を搬送路で送るための回転ローラを回転駆動しているモータの駆動を停止すると、回転ローラとこれに圧接している圧接体とが離反して、回転ローラ及び圧接体から記録用紙に付与されていた圧が開放される。つまり、モータの駆動が停止すると、記録用紙は回転ローラと圧接体から圧を受けない状態となる。そして、モータを駆動すると、回転ローラと圧接体とが圧接して記録用紙を給紙可能な状態となる。このように、給紙装置ではモータの駆動及び駆動停止を引き金として回転ローラと圧接体との圧接及び解除が行われる。給紙カセットを機器本体から取り出すときはモータの駆動は停止しているので、記録用紙は回転ローラと圧接体から圧を受けない状態にある。よって、給紙カセットを機器本体から取り出すときに、記録用紙が破れたり詰まったりすることがない。
【発明の効果】
【００１０】
本発明に係る給紙装置によれば、記録用紙を搬送路で送るための回転ローラを回転駆動しているモータの駆動を停止すると、回転ローラとこれに圧接している圧接体とが離反して、回転ローラ及び圧接体から記録用紙に付与されていた圧が開放される。つまり、給紙装置ではモータの駆動停止を引き金として回転ローラと圧接体との圧接が解除される。給紙カセットを機器本体から取り出すときはモータの駆動は停止しているので、記録用紙は回転ローラと圧接体から圧を受けない状態にある。よって、給紙カセットを機器本体から取り出すときに、記録用紙が破れたり詰まったりすることがない。
【図面の簡単な説明】
【００１１】
【図１】本発明の実施の形態に係るインクジェット記録装置の全体的な構成を模式的に示す正面図である。
【図２】給紙部のローラの構成を示す平面図である。
【図３】給紙部のローラの構成を示す斜視図である。
【図４】給紙モータからフィードローラ軸への動力伝達構成を示す正面図である。
【図５】給紙モータからフィードローラ軸への動力伝達構成を示す斜視図である。
【図６】リタードローラの構成を示す斜視図である。
【図７】ピックアップローラとリタードローラの移動前後の状態を説明するためにその移動機構を模式的に示す正面図であり（ａ）は給紙モータ駆動停止時、（ｂ）は給紙モータ駆動時をそれぞれ示している。
【図８】給紙部の駆動制御の流れを示すフローチャートである。
【発明を実施するための形態】
【００１２】
以下、本発明を実施するための形態について説明する。本発明の実施の形態に係る給紙装置は、記録機器の一つであるインクジェット記録装置に給紙部として備えられている。このインクジェット記録装置は、カラー印刷を行うためにブラック、シアン、マゼンダ及びイエローの各色の４つのライン式記録ヘッドを備えている。なお、以下では全ての図を通じて同一又は相当する要素には同一の参照符号を付して、その重複する説明を省略する。
【００１３】
［インクジェット記録装置１の概略構成］
まず、図１を参照しながら、インクジェット記録装置１の概略構成を説明する。図１は本発明の実施の形態に係るインクジェット記録装置の全体的な構成を模式的に示す正面図である。図１ではインクジェット記録装置１の内部構造が簡略的に示されており、給紙カセット２１などを含む構成要素の一部は説明の便宜を図って断面で示されているが断面を示すハッチングは省略されている。インクジェット記録装置１は、記録媒体である記録用紙２に対して記録を行う記録部５と、記録部５へ記録用紙２を搬入する給紙部４と、記録部５から記録用紙２を搬出する排紙部６と、これらの動作を制御する制御部７とを備えている。インクジェット記録装置１には、給紙部４に設けられた給紙路３１と、記録部５に設けられた記録路３２と、排紙部６に設けられた排紙路３３とから成る記録用紙２の搬送路３が形成されている。図１中、搬送路３は二点鎖線で示されている。インクジェット記録装置１では、この搬送路３を搬送される記録用紙２に対して記録がなされる。以下、給紙部４、記録部５、及び排紙部６のそれぞれについて詳細に説明する。
【００１４】
給紙部４は、記録用紙２を収容するための給紙カセット２１と、給紙カセット２１から記録部５へ記録用紙２を送給する給紙路３１とを備えている。給紙カセット２１はインクジェット記録装置１の装置本体に対して着脱可能であり、給紙カセット２１を装置本体から取り出すときには図１の紙面を貫く手前側へ移動させる。給紙カセット２１には記録用紙２が上下に重ねて収容され、この記録用紙２は給紙カセット２１から繰り出されて給紙路３１へ送られる。給紙カセット２１の一側（図１の紙面左側）には、給紙路３１の上流端が設けられている。この給紙路３１の上流端と接続されるように、板状の給紙ガイド２２が給紙カセット２１に設けられている。給紙ガイド２２の上方には、給紙ガイド２２と対向する円周面を有するピックアップローラ２３が設けられている。このピックアップローラ２３は、給紙ガイド２２に対して近接及び離反するように移動可能である。インクジェット記録装置１の駆動時には、ピックアップローラ２３は給紙ガイド２２に近接しており、ピックアップローラ２３の円周面が給紙カセット２１に収容された最上位置の記録用紙２の給紙ガイド２２上に載っている部分に圧接されている。この状態でピックアップローラ２３が回転すると、ピックアップローラ２３と給紙ガイド２２との間で挟持されている記録用紙２が、給紙カセット２１から給紙路３１へ繰り出される。
【００１５】
給紙路３１は、複数の給紙側ガイド２４と、この給紙側ガイド２４に沿って記録用紙２を送る複数のローラとで構成されている。本実施の形態においては、給紙カセット２１の直ぐ上方に記録部５が設けられており、給紙路３１は複数の給紙側ガイド２４によって記録ヘッド４２から記録部５へ向かう側面視半円弧状に形作られている。
【００１６】
給紙路３１の上流部には、この給紙路３１を間に挟んで対向する円周面を有する一対のローラ２５，２６が設けられている。この一対のローラ２５，２６の一方がフィードローラ２５であり他方がリタードローラ２６である。給紙路３１上の記録用紙２は、回転するフィードローラ２５の円周面と回転するリタードローラ２６の円周面との間に挟まれて、給紙方向（即ち、給紙路３１の下流側）へ送られる。このとき、フィードローラ２５は記録用紙２を給紙方向へ送るように回転し、リタードローラ２６は記録用紙２を給紙方向と逆方向へ送るように回転する。この一対のローラ２５，２６の作用により、複数の記録用紙２が給紙カセット２１から取り出された場合に、一枚の記録用紙２のみが分離されて給紙方向へ送られる。
【００１７】
給紙路３１の下流部には、この給紙路３１を間に挟んで対向する円周面を有するレジストローラ対２７が設けられている。記録用紙２が回転するレジストローラ対２７の円周面に挟まれて給紙方向へ送られることにより、記録用紙２は姿勢や向きが整えられた状態で記録路３２へ搬入される。
【００１８】
記録部５は、給紙部４の給紙路３１の下流端と接続された記録路３２と、記録路３２に設けられた複数の記録ヘッド４２とを備えている。
【００１９】
記録路３２は、ベルト式搬送装置５０により形成されている。ベルト式搬送装置５０は、互いの回転軸が記録路３２に沿って離間している駆動ローラ５１及び従動ローラ５２と、これらのローラ５１，５２に巻回された無端状ベルト５３と、駆動ローラ５１を回転駆動する図示しないモータとを備えている。この無端状ベルト５３の上面は記録用紙２が搬送される搬送面であって、この搬送面の駆動ローラ５１と従動ローラ５２の間が記録路３２である。搬送面の水平性を維持するために、駆動ローラ５１と従動ローラ５２との間において無端状ベルト５３を下方から支持するプラテン５５が設けられている。
【００２０】
複数の記録ヘッド４２は、記録路３２の搬送面の上方に設けられている。本実施の形態に係るインクジェット記録装置１は４つの記録ヘッド４２を備えており、記録路３２の上流側からそれぞれブラック、シアン、マゼンダ、イエローの各インクを吐出する記録ヘッド４２が搬送方向９９に並んでいる。各記録ヘッド４２は、搬送面と対向する吐出面４３を有している。この吐出面４３には記録ヘッド４２が備える複数のノズルの吐出口が開口しており、これらの吐出口から搬送面上を搬送される記録用紙２に向けて選択的にインク滴が吐出される。インク滴は記録用紙２の被記録面に付着し、付着したインクにより記録用紙２に画像等が形成されて記録がなされる。
【００２１】
排紙部６は、排紙トレイ４５と、記録路３２の下流端と接続された排紙路３３とを備えている。記録路３２から排紙路３３へ送られてきた記録用紙２は、排紙路３３に沿って排紙トレイ４５へ搬出される。排紙路３３は、複数の排紙側ガイド４６と、この排紙側ガイド４６に沿って記録用紙２を送る複数の送出ローラ対４７と、排紙路３３を送られてきた記録用紙２を排紙トレイ４５へ排出する排紙ローラ対４８とで構成されている。本実施の形態においては、記録部５の上方に排紙トレイ４５が設けられており、排紙路３３は複数の排紙側ガイド４６により記録路３２の下流端から排紙トレイ４５へ向かう側面視半円弧状に形作られている。
【００２２】
上記構成のインクジェット記録装置１は、給紙部４では給紙カセット２１に収容された記録用紙２を繰り出して給紙路３１に沿って記録部５へ搬送し、記録部５では送られてきた記録用紙２を記録路３２を搬送しながらインクを塗布して記録を行い、排紙部６では記録がなされた記録用紙２を排紙路３３に沿って排紙トレイ４５へ搬出するように動作する。このインクジェット記録装置１の一連の動作は、制御部７により制御されている。
【００２３】
［給紙部４のローラの構成］
続いて、図２〜５を参照しながら、給紙部４について詳細に説明する。図２は給紙部のローラの構成を示す平面図、図３は給紙部のローラの構成を示す斜視図、図４は給紙モータからフィードローラ軸への動力伝達構成を示す正面図、図５は給紙モータからフィードローラ軸への動力伝達構成を示す斜視図である。給紙部４は、ピックアップローラ２３、フィードローラ２５、リタードローラ２６、及びレジストローラ対２７の複数の回転するローラを備えている。これらのローラは、１つの給紙モータ６０により回転駆動される。以下では、そのうちピックアップローラ２３、フィードローラ２５およびリタードローラ２６の構成について説明する。
【００２４】
まず、給紙モータ６０からピックアップローラ２３、フィードローラ２５およびリタードローラ２６への動力伝達構成から説明する。給紙モータ６０から出力された回転動力は、複数のギアで構成された動力伝達経路を介してフィードローラ軸７１へ伝達される。具体的には、給紙モータ６０の出力軸に設けられた出力ギア６０ａから、第１アイドルギア６１、第２アイドルギア６２、第３アイドルギア６３、および第１ドライブギア６４を介して、フィードローラ軸７１へ回転動力が伝達される。第１アイドルギア６１は、大径ギア６１ａと小径ギア６１ｂとの径の異なる２つのギアを有し、大径ギア６１ａは出力ギア６０ａと噛合し、小径ギア６１ｂは第２アイドルギア６２と噛合している。また、第３アイドルギア６３は、小径ギア６３ａと大径ギア６３ｂとの径の異なる２つのギアを有し、小径ギア６３ａは第２アイドルギア６２と噛合し、大径ギア６３ｂは第１ドライブギア６４と噛合している。なお、給紙モータ６０の出力ギア６０ａは図４において時計回りに回転（以下、正回転という）し、この出力ギア６０ａから複数のギアを経て伝達された回転動力によりフィードローラ軸７１は正回転する。
【００２５】
第１ドライブギア６４からフィードローラ軸７１への動力伝達経路には、電磁クラッチ８１が設けられている。電磁クラッチ８１は、制御部７からの制御を受けて第１ドライブギア６４からフィードローラ軸７１の動力伝達の有無を切り換える。具体的には、電磁クラッチ８１は、クラッチがオンのときに第１ドライブギア６４からフィードローラ軸７１への動力伝達経路を形成して回転動力を伝達し、クラッチがオフのときに第１ドライブギア６４からフィードローラ軸７１までの動力伝達経路を切断して回転動力の伝達を遮断する。したがって、給紙モータ６０が駆動され且つ電磁クラッチ８１がオンのときに、フィードローラ軸７１が回転する。
【００２６】
上記のようにフィードローラ軸７１に伝達された回転動力は、更に動力伝達経路の下流側でリタードローラ駆動軸７２に伝達される。具体的には、フィードローラ軸７１に外嵌された中間出力ギア６５から、第４アイドルギア６６、第５アイドルギア６７、および第２ドライブギア６８を介して、この第２ドライブギア６８が外嵌されたリタードローラ駆動軸７２へ回転動力が伝達される。上記構成により、フィードローラ軸７１とリタードローラ駆動軸７２とは同期して回転する。このとき、正回転するフィードローラ軸７１から複数のギアを経て伝達された回転動力によりリタードローラ駆動軸７２は逆回転する。なお、リタードローラ２６は、リタードローラ軸７４からリタードローラ２６への動力伝達経路を接続又は遮断するクラッチ機能を備えたトルクリミッタ２６ａを備えている。そして、フィードローラ２５とリタードローラ２６との間に記録用紙が１枚だけ進入した場合は、フィードローラ２５とリタードローラ２６の高い摩擦力のためにトルクリミッタ２６ａが作動してリタードローラ２６への動力伝達経路が遮断され、リタードローラ２６はフィードローラ２５に従動回転して１枚の記録用紙を給紙方向へ送り出す。一方、フィードローラ２５とリタードローラ２６との間に記録用紙が複数枚進入した場合は、リタードローラ２６は記録用紙を給紙方向と逆方向へ送るように回転する。これにより最も上の記録用紙２が分離されて給紙方向へ送り出される。
【００２７】
第１ドライブギア６４は、フィードローラ軸７１へ回転動力を伝達する一方で、リフトギア６９の外周ギア６９ａと噛合している。リフトギア６９は、外周ギア６９ａ（外歯）と内周ギア６９ｂ（内歯）とを有する環状歯車である。第１ドライブギア６４は、給紙モータ６０の駆動時は給紙モータ６０からの回転動力を受けて常に回転しているので、リフトギア６９も給紙モータ６０の駆動時は常に回転している。
【００２８】
リフトギア６９の回転の中心には第１回転軸８３が設けられている。第１回転軸８３は、カム８２のボス部８２ａに挿入されており、カム８２は第１回転軸８３に支承されている。カム８２は、後述する第２アーム８５に作用する第１作用部８２ｂと、後述する第１アーム８６に作用する第２作用部８２ｃと、ギア支承部８２ｄとを備えている。ギア支承部８２ｄには、第１回転軸８３と平行に延びる第２回転軸８４が設けられている。この第２回転軸８４には、内周ギア６９ｂの径よりも十分に小さい径を有する遊星ギア７０（遊星歯車）が支承されている。この遊星ギア７０は、第１回転軸８３とリフトギア６９の内周ギア６９ｂとの間に配置されて、リフトギア６９の内周ギア６９ｂと噛合している。また、カム８２の第１作用部８２ｂは付勢部材である第１ばね８８が接続されており、これによりカム８２は第１回転軸８３を中心として第６方向（図４に矢印３７Ｂで示す方向）に回転（正回転）するように付勢されている。一方で、カム８２の或回転位相から第５方向（図４に矢印３７Ａで示す方向）への回転（逆回転）を規制するために、カム８２と当接可能に第１ストッパ８７が設けられている。
【００２９】
ここで、カム８２の動きを説明する。給紙モータ６０の駆動時に、リフトギア６９は給紙モータ６０からの回転動力を受けて第１回転軸８３を軸として逆回転している。このリフトギア６９の回転により、リフトギア６９の内周ギア６９ｂと噛合している遊星ギア７０は第２回転軸８４を軸として逆回転（自転）する。さらに遊星ギア７０は、リフトギア６９と遊星ギア７０との間に生じる接線力により、第１回転軸８３の周りを逆回り（公転）する。この遊星ギア７０の逆回りにより、遊星ギア７０を支承しているカム８２が第１ストッパ８７に当接するまで第５方向３７Ａへ回転する。なお、カム８２が第１ストッパ８７へ当接してからは、遊星ギア７０は空転してカム８２はそれ以上第５方向３７Ａへ回転しない。
【００３０】
一方、給紙モータ６０の駆動を停止すると、リフトギア６９の回転も停止する。これに伴い、遊星ギア７０を第１回転軸８３の周りを逆回りさせていた接線力が働かなくなる。すると、カム８２は第１ばね８８により第６方向３７Ｂへ付勢されているので、カム８２は第６方向３７Ｂへ回転する。このカム８２の回転に伴って遊星ギア７０も第１回転軸８３の周りを正回りするとともに第２回転軸８４を軸として正回転する。
【００３１】
次に、図２及び図３を参照しながら、フィードローラ２５とピックアップローラ２３の構成について説明する。フィードローラ２５は、フィードローラ軸７１に外嵌されており、フィードローラ軸７１と一体的に回転する。フィードローラ軸７１は、第２ローラホルダ１１１の第１支承部１１１ａに支承されている。第２ローラホルダ１１１は、この第１支承部１１１ａに加え、ピックアップローラ２３が外嵌されたピックアップローラ軸７３をフィードローラ軸７１と平行に支承するための第２支承部１１１ｂを有している。第２ローラホルダ１１１は、インクジェット記録装置１の筐体に固定されたステー（図示略）により第１支承部１１１ａを中心として、即ち、フィードローラ軸７１を軸として回転可能に設けられている。これにより、第２支承部１１１ｂ及びここに支承されたピックアップローラ２３は、給紙ガイド２２上の記録用紙２に対して近接又は離反するように下方又は上方へ移動できる。
【００３２】
第２ローラホルダ１１１には、フィードローラ軸７１からピックアップローラ軸７３への動力伝達経路が構成されている。具体的には、第２ローラホルダ１１１に第７アイドルギア１１３が設けられており、この第７アイドルギア１１３はフィードローラ軸７１に外嵌されたフィードローラギア１１２及びピックアップローラ軸７３に外嵌された第３ドライブギア１１４に噛合している。かかる構成により、正回転するフィードローラ軸７１から複数のギアを経て伝達された回転動力によりピックアップローラ軸７３は正回転する。
【００３３】
さらに、第２ローラホルダ１１１の第１支承部１１１ａの上部には、第２アーム８５と第２ローラホルダ１１１を連動させるための、連結突起１１１ｄが設けられている。第２アーム８５は、フィードローラ軸７１の上方において、フィードローラ軸７１と略直交する第１支持ピン１１５に支承されている。第２アーム８５は第１支持ピン１１５を軸として第１方向（図２に矢印３５Ａで示す方向）又は第２方向（図２に矢印３５Ｂで示す方向）へ回転できる。第２アーム８５の第１端８５ａは、カム８２の第１作用部８２ｂにより第２方向３５Ｂへ回転するように押圧されている。この第１端８５ａと第１支持ピン１１５を介して反対側の第２端８５ｂには、第２ローラホルダ１１１の連結突起１１１ｄが挿入された連結孔８５ｃが設けられている。これにより第２アーム８５の第２端８５ｂと第２ローラホルダ１１１が連結され、第２アーム８５と第２ローラホルダ１１１が連動する。つまり、第２アーム８５が第１方向３５Ａ又は第２方向３５Ｂへ回転すると、第２ローラホルダ１１１はフィードローラ軸７１を軸として回転し、第２支承部１１１ｂが下方又は上方へ移動する。なお、第２アーム８５は、第２端８５ｂに接続された第２ばね８９により第１方向３５Ａへ回転するように付勢されており、これにより第２ローラホルダ１１１の第２支承部１１１ｂは下方へ付勢されている。
【００３４】
上記のようにピックアップローラ２３が給紙ガイド２２に近接及び離反するように移動するための移動機構は、第２ローラホルダ１１１と、第２ローラホルダ１１１の第２支承部１１１ｂを上方又は下方へ移動させる第２のアクチュエータとを備えている。この第２のアクチュエータは、第２アーム８５、カム８２、カム８２を回転させるリフトギア６９及び遊星ギア７０、並びに給紙モータ６０からリフトギア６９までの動力伝達経路を構成する複数のギアである。
【００３５】
ここで、ピックアップローラ２３の移動と移動前後の状態を、図２，３に加えて図７を参照しながら説明する。図７はピックアップローラとリタードローラの移動前後の状態を説明するためにその移動機構を模式的に示す正面図であり（ａ）は給紙モータ駆動停止時、（ｂ）は給紙モータ駆動時をそれぞれ示している。給紙モータ６０が駆動されてカム８２が第５方向３７Ａへ回転すると、第２アーム８５は第２ばね８９の付勢によりカム８２の動きに追従して第１方向３５Ａへ回転する。この第２アーム８５の動きに連動して、第２ローラホルダ１１１の第２支承部１１１ｂは下方へ移動する。これに伴い、ピックアップローラ２３は下方へ移動して、給紙ガイド２２上の記録用紙２と圧接される（図７（ｂ））。一方、給紙モータ６０の駆動が停止してカム８２が第６方向３７Ｂへ回転すると、第２アーム８５はカム８２に押圧されて第２方向３５Ｂへ回転する。この第２アーム８５の動きに連動して、第２ローラホルダ１１１の第２支承部１１１ｂは上方へ移動する。これにより、記録用紙２に圧接されていたピックアップローラ２３は上方へ移動して給紙ガイド２２上の記録用紙２から離れる（図７（ａ））。上述のように、ピックアップローラ２３は給紙モータ６０の駆動停止を引き金にして給紙ガイド２２及び記録用紙２から離れるように構成されている。
【００３６】
次に、図６を参照しながら、リタードローラ２６の構成について説明する。図６はリタードローラの駆動構成を示す斜視図である。リタードローラ駆動軸７２は、第１ローラホルダ１２１の第１支承部１２１ａに支承されている。第１ローラホルダ１２１は、第１支承部１２１ａに加えて第２支承部１２１ｂを有している。この第２支承部１２１ｂには、リタードローラ２６が外嵌されたリタードローラ軸７４がリタードローラ駆動軸７２と平行に支承されている。第１ローラホルダ１２１は、インクジェット記録装置１の筐体に固定されたステー（図示略）に、第１支承部１２１ａを中心として、即ち、リタードローラ駆動軸７２を軸として回転可能に設けられている。かかる構成により、第１ローラホルダ１２１の第２支承部１２１ｂはリタードローラ駆動軸７２を軸として上下に揺動することができる。これにより、第２支承部１２１ｂ及びここに支承されたリタードローラ２６は、フィードローラ２５に対して近接又は離反するように上方又は下方へ移動できる。そして、第１ローラホルダ１２１の第１支承部１２１ａ側に接続された第３ばね１３０により、第１ローラホルダ１２１の第２支承部１２１ｂは上方へ移動するように付勢されている。
【００３７】
第１ローラホルダ１２１には、リタードローラ駆動軸７２からリタードローラ軸７４への動力伝達経路が構成されている。具体的には、第１ローラホルダ１２１は、互いに噛合する第８アイドルギア１２４と第９アイドルギア１２５とを備えており、第８アイドルギア１２４はリタードローラ駆動軸７２に外嵌された第２中間出力ギア１２３と噛合し、第９アイドルギア１２５はリタードローラ軸７４に外嵌された第３ドライブギア１２６と噛合している。かかる構成により、逆回転するリタードローラ駆動軸７２から複数のギアを経て伝達された回転動力によりリタードローラ軸７４は正回転する。
【００３８】
第１ローラホルダ１２１は、回転の中心となる第１支承部１２１ａとは反対側に、被作用部１２１ｃを有している。被作用部１２１ｃは、第１アーム８６と連動する圧接レバー１２８と当接している。圧接レバー１２８は略Ｌ字状を有し、リタードローラ駆動軸７２と平行な第２支持ピン１２９に支承されている。圧接レバー１２８の第１端１２８ａは第１アーム８６に当接し、同じく第２端１２８ｂは第１ローラホルダ１２１の被作用部１２１ｄに当接している。
【００３９】
第１アーム８６は、リタードローラ駆動軸７２の上方において、リタードローラ駆動軸７２と略直交する第３支持ピン１１６に支承されている。第１アーム８６は第３支持ピン１１６を軸として第３方向（図６に矢印３６Ａで示す方向）又は第４方向（図６に矢印３６Ｂで示す方向）へ回転できる。第１アーム８６の第１端８６ａは、カム８２の第２作用部８２ｃに当接している。この第１端８６ａと第３支持ピン１１６を介して反対側の第２端８６ｂは、圧接レバー１２８の第１端１２８ａに当接している。なお、第１ローラホルダ１２１の第２支承部１２１ｂは第３ばね１３０（図３）により上方へ付勢されているので、この第１ローラホルダ１２１と当接している圧接レバー１２８を介して、第１アーム８６は第３方向３６Ａへ回転するように付勢されている。そして、第１アーム８６の或回転位相からさらに第３方向３６Ａへの回転を規制する第２ストッパ１１７が設けられている。
【００４０】
上記のようにリタードローラ２６がフィードローラ２５に近接及び離反するように移動するための移動機構は、第１ローラホルダ１２１と、第１ローラホルダ１２１の第２支承部１２１ｂを上方又は下方へ移動させる第１のアクチュエータとを備えている。この第１のアクチュエータは、圧接レバー１２８、第１アーム８６、カム８２、カム８２を回転させるリフトギア６９及び遊星ギア７０、並びに給紙モータ６０からリフトギア６９までの動力伝達経路を構成する複数のギアである。
【００４１】
ここで、リタードローラ２６の移動と移動前後の状態について、図６に加えて図７を参照しながら説明する。給紙モータ６０が駆動されてカム８２が第５方向３７Ａへ回転すると、第１アーム８６はカム８２の動きに追従して第３方向３６Ａへ第２ストッパ１１７に当接するまで回転する。この第１アーム８６の動きに連動して圧接レバー１２８が回転するとともに、第１ローラホルダ１２１の第２支承部１２１ｂが上方へ移動する。これにより、リタードローラ２６は上方へ移動してフィードローラ２５と圧接される（図７（ｂ））。一方、給紙モータ６０の駆動が停止してカム８２が第６方向３７Ｂへ回転すると、第１アーム８６はカム８２に押圧されて第４方向３６Ｂへ回転する。この第１アーム８６の動きに連動して、圧接レバー１２８が回転するとともに、第１ローラホルダ１２１の第２支承部１２１ｂは下方へ移動する。これにより、フィードローラ２５に圧接されていたリタードローラ２６は下方へ移動してフィードローラ２５から離れる（図７（ａ））。上述のように、リタードローラ２６は給紙モータ６０の運転停止を引き金にしてリタードローラ２６から離れるように構成されている。
【００４２】
ここで、図８を参照しながら、上記構成の給紙部４の駆動制御の例を説明する。図８は給紙部の駆動制御の流れを示すフローチャートである。前述した通り、給紙部４は複数の回転駆動されるローラを備えているが、これらは１つの給紙モータ６０で駆動されており、この給紙モータ６０は制御部７の制御を受けて動作する。
【００４３】
制御部７は、インクジェット記録装置１の記録開始ボタンが押されて記録開始指令が入力されると（ステップＳ１）、給紙モータ６０を駆動する（ステップＳ２）。給紙モータ６０が駆動されると、リタードローラ２６がフィードローラ２５に圧接されるとともに、ピックアップローラ２３が給紙ガイド２２上の記録用紙２に圧接される（図７（ｂ））。但し、これらのローラ２３，２５，２６は未だ回転していない。続いて、制御部７は、電磁クラッチ８１のクラッチをオンにする（ステップＳ３）。これにより、フィードローラ軸７１に回転動力が伝達され、フィードローラ２５、リタードローラ２６及びピックアップローラ２３が回転する。これらのローラ２３，２５，２６の回転により、記録用紙２が給紙カセット２１から給紙路３１へ繰り出されて該給紙路３１を給紙方向へ送られる。１枚の給紙が終わると、制御部７は電磁クラッチ８１のクラッチをオフにする（ステップＳ４）。電磁クラッチ８１のクラッチのオンとオフの切り換えは、記録部５で記録される記録用紙２の枚数と対応する数だけ繰り返される。そして、記録が終了すると（ステップＳ５）、制御部７は給紙モータ６０の駆動を停止する（ステップＳ６）。給紙モータ６０の駆動が停止すると、リタードローラ２６がフィードローラ２５から離れるとともに、ピックアップローラ２３が給紙ガイド２２上の記録用紙２から離れる（図７（ａ））。
【００４４】
上述の通り、本実施の形態に係る給紙部４では、給紙モータ６０の駆動（駆動開始）を引き金として、固定されたフィードローラ２５に対してリタードローラ２６が近接する方向へ移動して圧接するとともに、給紙ガイド２２に対してピックアップローラ２３が近接する方向へ移動して圧接する。そして、これらのローラの回転により、給紙路３１に沿って記録用紙２が給紙方向へ送られる。また、本実施の形態に係る給紙部４では、給紙モータ６０の駆動停止を引き金として、リタードローラ２６がフィードローラ２５から離反する方向へ移動するとともに、ピックアップローラ２３が給紙ガイド２２から離反する方向へ移動する。したがって、フィードローラ２５とリタードローラ２６の間及び給紙ガイド２２とピックアップローラ２３の間で記録用紙２がローラからの圧を受けない状態となる。給紙カセット２１をインクジェット記録装置１の装置本体から取り出すときは、記録用紙２を搬送するローラ２３，２５，２６の回転は停止しており、給紙モータ６０の駆動は停止している。つまり、給紙カセット２１をインクジェット記録装置１の装置本体から取り出すときは、記録用紙２はローラ２３，２５，２６から圧を受けない状態となっている。よって、記録用紙２が破れたり詰まったりすることなく、給紙カセット２１を機器本体から取り出すことができる。また、給紙路３１で詰まった記録用紙２を取り除くときも、記録用紙２を搬送するローラ２３，２５，２６の回転は停止しており、給紙モータ６０の駆動は停止している。つまり、給紙カセット２１以外の装置本体の筐体部分（例えば、筐体の側面パネルなど）を開いて搬送路３から記録用紙２を取り除くときにも、記録用紙２はローラ２３，２５，２６から圧を受けない状態となっているので、記録用紙２を搬送路３から容易に取り除くことができる。
【００４５】
これに加え、給紙モータ６０が駆動されているときは、ピックアップローラ２３と給紙ガイド２２、並びにフィードローラ２５とリタードローラ２６は、ローラ２３，２５，２６の回転の有無を問わず常に圧接されている。つまり、給紙の１サイクル毎に圧接と圧接解除が繰り返されるわけではない。よって、静電気力に連れられて記録用紙２が重ねて送られてしまうことを防止できる。
【００４６】
さらに、本実施の形態では、ピックアップローラ２３が給紙ガイド２２に近接及び離反するように移動するための移動機構ならびにリタードローラ２６がフィードローラ２５に近接及び離反するように移動するための移動機構は、いずれも機械的に構成されている。つまり、ピックアップローラ２３及びリタードローラ２６の移動のためにソレノイドや特別な制御は必要とされない。よって、インクジェット記録装置１の装置本体の小型化の実現に寄与するとともに、低コスト化を図ることができる。但し、上記においては、ピックアップローラ２３の移動機構ならびにリタードローラ２６の移動機構の一例を示したに過ぎず、ピックアップローラ２３の移動機構ならびにリタードローラ２６の移動機構は他の態様も取り得る。
【００４７】
また、本実施の形態に係る給紙部４では、固定されたフィードローラ２５に近接及び離反するようにリタードローラ２６が移動し、且つ、固定された給紙ガイド２２に近接及び離反するようにピックアップローラ２３が移動するように構成されているが、本発明はこれに限定されない。例えば、固定されたリタードローラ２６に近接及び離反するようにフィードローラ２５が移動し、固定されたピックアップローラ２３に近接及び離反するように給紙ガイド２２が移動するように構成されてもよい。また、例えば、給紙モータ６０の駆動と駆動停止を引き金として給紙ガイド２２に近接及び離反するようにピックアップローラ２３が移動し、これとは別の手法により固定されたフィードローラ２５に近接及び離反するようにリタードローラ２６が移動するように構成されてもよい。
【００４８】
なお、本実施の形態に係る給紙部４では、フィードローラ２５に圧接される圧接体として分離ローラの一種であるリタードローラ２６を採用しているが、圧接体はこれに限られない。リタードローラ２６に代えて、リバースローラ又はリバースベルトなどの分離ローラやフィードローラ２５に圧接する摩擦分離板を圧接体として用いてもよい。これらはいずれも前述のリタードローラ２６と同様にフィードローラ２５に近接及び離反するように移動可能に構成される。特に、圧接体がリバースローラ又はリバースベルトの場合は、前述のリタードローラ２６と同様にフィードローラ２５と圧接体との間に挟まれた記録用紙２を給紙方向と逆方向へ送るように構成される。
【００４９】
上記では、本発明の実施の形態に係る給紙装置（給紙部）を備える記録機器としてライン式インクジェット記録装置を例に挙げて説明した。言うまでもないが、本発明に係る給紙装置が備えられる記録機器はインクジェット記録装置に限定されるものではなく、ファクシミリ、コピー機、印刷機などの給紙カセットを備えたあらゆる種類の記録機器とすることができる。
【産業上の利用可能性】
【００５０】
本発明は、記録機器の種類を問わず、機器本体に対して着脱可能な給紙カセットを備えた給紙装置を備えた記録機器に広く適用することができる。
【符号の説明】
【００５１】
１  インクジェット記録装置（記録機器）
２  記録用紙
３  搬送路
４  給紙部（給紙装置）
５  記録部
６  排紙部
７  制御部
２１  給紙カセット
２２  給紙ガイド
２３  ピックアップローラ（回転ローラ）
２４  給紙側ガイド（圧接体）
２５  フィードローラ（回転ローラ）
２６  リタードローラ（圧接体，分離ローラ）
２７  レジストローラ対
３１  給紙路（搬送路）
３２  記録路
３３  排紙路
４２  記録ヘッド
４５  排紙トレイ
４６  排紙側ガイド
４７  送出ローラ対 
４８  排紙ローラ対
５０  ベルト式搬送装置
６９  リフトギア（環状歯車）
８２  カム（第１のカム、第２のカム）
８５  第２アーム
８６  第１アーム
１１１  第２ローラホルダ（第２のホルダ）
１２１  第１ローラホルダ（第１のホルダ）
【図１】
2011230895.tif 000003
【図２】
2011230895.tif 000004
【図３】
2011230895.tif 000005
【図４】
2011230895.tif 000006
【図５】
2011230895.tif 000007
【図６】
2011230895.tif 000008
【図７】
2011230895.tif 000009
【図８】
2011230895.tif 000010